(57)【特許請求の範囲】
【請求項１】
暗号化通信を行うことが可能な通信端末装置において、
複数の使用者を識別する認証符号を入力する入力手段と、
前記認証符号及びその認証符号に対応した画像の暗号化に使用する情報及び前記認証符号に対応する使用者名を記憶する記憶手段と、
前記入力手段から入力される認証符号と前記記憶手段に記憶されている認証符号とが一致する場合は、暗号化に使用する情報の変更または削除を許可する制御手段と、
画像の暗号化に使用する情報に対応する番号または符号、及び使用者名を記録紙に記録する記録手段と
を備え、前記制御手段は、画像の暗号化に使用する情報に対応する番号または符号、及び使用者名を前記記録手段で記録紙に記録する通信端末装置。
【請求項２】
暗号化通信を行うことが可能な通信端末装置において、
複数の使用者を識別する認証符号を入力する入力手段と、
前記認証符号及びその認証符号に対応した画像の暗号化に使用する情報及び前記認証符号に対応する使用者名を記憶する記憶手段と、
前記入力手段から入力される認証符号と前記記憶手段に記憶されている認証符号とが一致する場合は、暗号化に使用する情報の変更または削除を許可する制御手段と、
画像の暗号化に使用する情報に対応する番号または符号、及び使用者名を表示する表示手段と
を備え、前記制御手段は、画像の暗号化に使用する情報に対応する番号または符号、及び使用者名を前記表示手段に表示する通信端末装置。
【発明の詳細な説明】
【０００１】
【発明の属する技術分野】
本発明は、ファクシミリ装置、コピー機能とファクシミリ機能とを備えた複合機等に代表される通信端末装置に関し、より詳しくは暗号化通信機能を備えた通信端末装置に関するものである。
【０００２】
【従来の技術】
近年、データ通信の分野ではデータの安全性を確保するために、種々の暗号化が行われている。例えば、ファクシミリ通信の分野においては、次のような暗号化手法が用いられている。すなわち、送信側のファクシミリ装置において、読み取った原稿の画データを所定単位毎にブロック化し、各ブロック単位毎に配置を入れ替える。そして、その配置替えされた暗号化画データを受信側のファクシミリ装置に対して送信するとともに、各ブロック毎の配置換えの順序を示す情報も受信側の装置へ送信する。受信側のファクシミリ装置においては、受信された配置換え情報に基づいて、受信された暗号化画データを復元する。
【０００３】
【発明が解決しようとする課題】
ところが、従来の装置においては、ファクシミリ装置に対して１種類の配置換え情報（キーワード）しか割り当てられていなかった。このため、複数の使用者で１台のファクシミリ装置を使用する場合には、第三者によって配置換え情報がファクシミリ装置に入力されて、暗号化通信で受信された画データがファクシミリ装置から引き出されるという危険性が存在していた。
【０００４】
本発明は、このような従来の技術に存在する問題点に着目してなされたものであって、その目的は、使用者毎に画像の暗号化に使用する情報を登録することが可能な通信端末装置を提供することにある。
【０００５】
【課題を解決するための手段】
上記の目的を達成するために、請求項１に記載の発明では、暗号化通信を行うことが可能な通信端末装置において、複数の使用者を識別する認証符号を入力する入力手段と、前記認証符号及びその認証符号に対応した画像の暗号化に使用する情報及び前記認証符号に対応する使用者名を記憶する記憶手段と、前記入力手段から入力される認証符号と前記記憶手段に記憶されている認証符号とが一致する場合は、暗号化に使用する情報の変更または削除を許可する制御手段と、画像の暗号化に使用する情報に対応する番号または符号、及び使用者名を記録紙に記録する記録手段とを備え、前記制御手段は、画像の暗号化に使用する情報に対応する番号または符号、及び使用者名を前記記録手段で記録紙に記録する。
【０００６】
請求項２に記載の発明では、暗号化通信を行うことが可能な通信端末装置において、複数の使用者を識別する認証符号を入力する入力手段と、前記認証符号及びその認証符号に対応した画像の暗号化に使用する情報及び前記認証符号に対応する使用者名を記憶する記憶手段と、前記入力手段から入力される認証符号と前記記憶手段に記憶されている認証符号とが一致する場合は、暗号化に使用する情報の変更または削除を許可する制御手段と、画像の暗号化に使用する情報に対応する番号または符号、及び使用者名を表示する表示手段とを備え、前記制御手段は、画像の暗号化に使用する情報に対応する番号または符号、及び使用者名を前記表示手段に表示する。
【０００８】
なお、以下に述べる発明の実施の形態において、特許請求の範囲または課題を解決するための手段に記載の「通信端末装置」はファクシミリ装置１に相当し、同じく「記憶手段」はＲＡＭ１３に相当し、同じく「入力手段」はテンキー１６ａに相当し、同じく「制御手段」はＭＰＵ１１、ＲＯＭ１２及びＲＡＭ１３に相当し、同じく「記録手段」は記録部１５に相当し、同じく「表示手段」は表示部１７に相当する。
【０００９】
【発明の実施の形態】
以下に、本発明を具体化した一実施形態を図面を用いて説明する。
図１に示すように、通信端末装置としてのファクシミリ装置１は、ＭＰＵ１１、ＲＯＭ１２、ＲＡＭ１３、読取部１４、記録部１５、操作部１６、表示部１７、画像メモリ１８、コーデック１９、モデム２０、ＮＣＵ２１及び暗号部２２から構成されるとともに、各部１１〜２２がバス２３を介してそれぞれ接続されている。
【００１０】
ＭＰＵ１１は、ファクシミリ装置１を構成する各部を制御する。ＲＯＭ１２は、ファクシミリ装置１を制御するためのプログラムを記憶する。ＲＡＭ１３は、ファクシミリ装置１に関する各種情報を一時的に記憶する。また、ＲＡＭ１３は、図２に示すように、「Ｎｏ」、「キーヒント」、「キーワード」、「使用者名」及び「パスワード」の項目から構成されるキーバンクテーブルＴを記憶する。なお、各項目の情報が固定長レコードである場合は、「Ｎｏ」を記憶させず、固定長レコード数を計数することにより、「Ｎｏ」を特定することも可能である。ここで、「キーヒント」とは、「キーワード」と関連付けられた名称であって、画像の配置換えの順序を決定するために使用されるキーワードを受信者に暗示させる情報である。また、このキーヒントは、受信側装置に暗号化されずに画データとして送信され、受信側装置の記録部で暗号化画データとともに、記録紙に記録されるものである。そして、「キーワード」とは、暗号化通信を行う際に行われる配置換えを示す情報である。認証符号としての「パスワード」とは、例えば４桁からなる数字であって、使用者を特定するために用いられるものである。
【００１１】
読取部１４は、原稿上の画像データを読み取って、白黒２値のイメージデータを出力する。記録部１５は、電子写真方式のプリンタよりなり、受信画データやコピー動作において、読取部１４にて読み取られた原稿の画データを記録紙上に記録する。
【００１２】
操作部１６は、電話番号等を入力するためのテンキー（＊，＃キーを含む）１６ａ、短縮番号の登録、短縮番号から発信するするための短縮キー１６ｂ、原稿の読み取り動作を開始させるためのスタートキー１６ｃ、「通信（ＦＡＸ）」動作又は「コピー」動作を設定するための通信／コピーキー１６ｄ、通信モードを「ＥＣＭモード」または「非ＥＣＭモード」に設定するための通信モードキー１６ｅ、暗号化通信を行わせるための暗号化通信キー１６ｆ、「キーヒント」、「キーワード」及び「使用者名」等の文字を入力するための文字入力キー１６ｇ等の各種操作キーを備えている。ＬＣＤ等よりなる表示部１７は、ファクシミリ装置１の動作状態等の各種情報の表示を行う。
【００１３】
画像メモリ１８は、受信画データや読取部１４で読み取られ、コーデック１９で圧縮符号化された画データを一時的に記憶する。コーデック１９は、読取部１４にて読み取られた画データを送信のためにＭＨ，ＭＲ，ＭＭＲ方式等により符号化（エンコード）する。また、コーデック１９は、受信画データを復号（デコード）する。
【００１４】
モデム２０は、ＩＴＵ−Ｔ勧告Ｔ．３０に従ったファクシミリ伝送制御手順に基づいて、Ｖ．１７，Ｖ．２７ｔｅｒ，Ｖ．２９等（以下、Ｖ．１７等）のいずれかに従った送受信データの変調及び復調を行う。また、モデム２０は、ＥＣＭモード（誤り訂正機能）と非ＥＣＭモードとに従った通信を行う機能を備えている。ＮＣＵ２１は、電話回線Ｌとの接続を制御するとともに、相手先のＦＡＸ番号に対応したダイヤル信号の送出及び着信を検出するための機能を備えている。
【００１５】
暗号部２２は、操作部１６のテンキー１６ａから入力される番号に対応するキーワードに基づいて、読取部１４で読み取られた画データを、所定単位毎にブロック化し、各ブロック単位毎に配置を入れ替えて暗号化画データにする。この暗号化画データは、コーデック１９により受信側装置の復号能力に応じて、符号化され、モデム２０及びＮＣＵ２１を介して受信側装置に送信される。また、操作部１６のテンキー１６ａから入力される番号に対応するキーワードに基づいて、受信した暗号化画データを元の画データに復元する。
【００１６】
以上のように構成されたファクシミリ装置１において、キーバンクテーブルＴにおける項目の内容を登録、変更または削除する場合の動作について、図３及び図４に示すフローチャートを用いて説明する。なお、このフローチャートにおいて、使用者が操作する以外の動作は、ＲＯＭ１２に記憶されたプログラムに基づき、ＭＰＵ１１の制御により実行される。
【００１７】
Ｓ１においては、表示部１７にメッセージ（例えば、登録、変更または削除する「Ｎｏ」を入力して下さい。）が表示される。
Ｓ２においては、使用者により、キーバンクテーブルＴの「Ｎｏ」が操作部１６のテンキー１６ａから入力される。
【００１８】
Ｓ３においては、前記Ｓ２において入力された「Ｎｏ」に対応する各項目（「キーヒント」、「キーワード」、「使用者名」及び「パスワード」）が既に登録されているか否かが判断される。既に登録されている場合は、Ｓ８に移行する。一方、未だ登録されていない場合は、Ｓ４に移行する。
【００１９】
Ｓ４においては、表示部１７にメッセージ（例えば、キーヒント、キーワード、使用者名及びパスワードを入力して下さい。）が表示される。
Ｓ５においては、使用者により、キーヒント、キーワード、使用者名が文字入力キー１６ｇから入力される。また、使用者により、パスワードがテンキー１６ａから入力される。
【００２０】
Ｓ６においては、前記Ｓ５において入力された内容が、ＲＡＭ１３のキーバンクテーブルＴに記憶される。
Ｓ７においては、前記Ｓ２において入力された「Ｎｏ」と、その「Ｎｏ」に対応する「使用者名」との項目内容が記録部１５で記録紙に記録される。
【００２１】
Ｓ８においては、表示部１７にメッセージ（例えば、既に登録されています。登録の内容を変更または削除しますか。？ＹＥＳ…１、ＮＯ…０）が表示される。
【００２２】
Ｓ９においては、使用者により、「１」または「０」がテンキー１６ａから入力されるのが待たれる。
Ｓ１０においては、前記Ｓ５においてテンキー１６ａから入力されたキーが「１」か否かが判断される。入力されたキーが「１」の場合、つまり登録の内容を変更または削除する場合は、図４に示すＳ１１に移行する。一方、入力されたキーが「０」の場合、つまり登録の内容を変更または削除しない場合は、Ｓ１に戻る。
【００２３】
図４に示すＳ１１においては、表示部１７にメッセージ（例えば、パスワードを入力して下さい。）が表示される。
Ｓ１２においては、使用者により、テンキー１６ａからパスワードが入力される。
【００２４】
Ｓ１３においては、前記Ｓ１２において入力されたパスワードと、ＲＡＭ１３のキーバンクテーブルＴに記憶されている「Ｎｏ」に対応するパスワードとが一致したか否かが判断される。パスワードが一致している場合は、Ｓ１６に移行する。一方、パスワードが一致していない場合は、Ｓ１４に移行する。
【００２５】
Ｓ１４においては、前記Ｓ１２におけるパスワードの入力回数が所定回数以内であるか否かが判断される。所定回数以内である場合は、Ｓ１５に移行する。一方、所定回数を超えている場合は、この処理を終了する。
【００２６】
Ｓ１５においては、表示部１７にメッセージ（例えば、再度パスワードを入力して下さい。）が表示され、Ｓ１２に戻る。
Ｓ１６においては、表示部１７にメッセージ（例えば、変更…１、削除…０を入力して下さい。）が表示される。
【００２７】
Ｓ１７においては、使用者により、「１」または「０」がテンキー１６ａから入力されるのが待たれる。
Ｓ１８においては、前記Ｓ１７において入力されたキーが「０」か否かが判断される。入力されたキーが「０」の場合、つまり登録の内容を削除する場合は、Ｓ１９に移行する。一方、入力されたキー「１」の場合、つまり登録の内容を変更する場合は、図３に示すＳ４に戻る。
【００２８】
Ｓ１９においては、前記Ｓ２において入力された「Ｎｏ」に対応する各項目内容がキーバンクテーブルＴから削除される。
以上、詳述したように本実施形態によれば、次のような作用、効果を得ることができる。
【００２９】
（１）ＲＡＭ１３には、使用者毎に「キーヒント」、「キーワード」、「使用者名」及び「パスワード」からなるキーバンクテーブルＴを記憶させている。このため、第三者により、キーワードが入力されて、暗号化通信の画データがファクシミリ装置１から引き出されるおそれを防止することができる。従って、暗号化通信の機能を一層発揮させることができる。
【００３０】
（２）使用者毎に、キーワード等を変更または削除する場合には、パスワードを入力する必要がある。このため、第三者により、キーワード等が変更または削除されるおそれを防止することができる。従って、キーワード等の守秘性を向上させることができる。
【００３１】
（３）キーワード等が変更された場合は、「Ｎｏ」と「使用者名」との項目内容が記録部１５で記録紙に記録される。このため、守秘性を向上しつつ、新たに設定された画像の暗号化に使用する情報に対応した番号を記録紙上で確認することができる。従って、誤入力に対して素早く対応することができる。
【００３２】
（４）キーワード等が変更された場合は、「Ｎｏ」と「使用者名」との項目内容のみが、記録紙に記録される。このため、キーワード等が第三者に知られるおそれを防止することができる。
【００３３】
なお、前記実施形態は、次のように変更して具体化することも可能である。
・図３のＳ７に示す処理において、「Ｎｏ」と「使用者名」との項目内容を表示部１７に表示させるように構成しても良い。
【００３４】
・加えて、表示部１７に表示させる場合は、Ｓ２において入力した「Ｎｏ」に対応するすべての項目を表示するように構成しても良い。このように構成しても、表示部１７に表示されるのみであるため、守秘性を向上しつつ、設定内容を確認することができる。
【００３５】
・さらに、キーバンクテーブルＴの「Ｎｏ」の項目内容は、符号（例えば、Ａ，Ｂ，Ｃ，・・・）であっても良い。つまり、「Ｎｏ」の項目内容と使用者名とが関連付けられていれば何でも良い。
【００３６】
・前記実施形態のパスワードの入力に代えて、電子カード、バーコード等の認証符号であれば何でも良い。尚、この場合における認証符号の読み取りは、カードリーダ、バーコードリーダ等で行われる。
【００３７】
さらに、上記実施形態より把握される請求項以外の技術的思想について、以下にそれらの効果と共に記載する。
〔１〕前記認証符号に対応する使用者名を記憶する前記記憶手段と、画像の暗号化に使用する情報に対応する番号または符号、及び使用者名を記録紙に記録する記録手段または表示する表示手段を備え、制御手段は、画像の暗号化に使用する情報に関する登録または変更があった場合は、画像の暗号化に使用する情報に対応する番号または符号、及び使用者名を記録手段で記録紙に記録または表示手段に表示する通信端末装置。
【００３８】
〔２〕使用者名を入力する入力手段と、前記認証符号に対応する使用者名を記憶する前記記憶手段と、画像の暗号化に使用する情報に対応する番号または符号、及び使用者名を記録紙に記録する記録手段または表示する表示手段を備え、制御手段は、画像の暗号化に使用する情報に関する登録または変更があった場合は、画像の暗号化に使用する情報に対応する番号または符号、及び使用者名を記録手段で記録紙に記録または表示手段に表示する通信端末装置。
【００３９】
なお、前記実施形態において、上記〔２〕の技術的思想に記載の「入力手段」は、文字入力キー１６ｇに相当する。
上記〔１〕または〔２〕のように構成すれば、画像の暗号化に使用する情報の登録または変更があった場合は、新たに設定された画像の暗号化に使用する情報に対応した番号または符号を記録紙上または表示手段上で確認することができる。
【００４０】
〔３〕認証符号は、所定桁数からなるパスワードである通信端末装置。
このように構成すれば、パスワードの入力に際し、新たな装置を付加することなく、認証符号の確認を行うことができる。
【００４１】
【発明の効果】
本発明は、以上のように構成されているため、次のような効果を奏する。
請求項１，２に記載の発明によれば、使用者毎に画像の暗号化に使用する情報を記憶手段に登録することができる。従って、暗号化通信の機能を一層発揮させることができる。
【００４２】
また、画像の暗号化に使用する情報の守秘性を向上させることができる。
さらには、守秘性を向上しつつ、新たに設定された画像の暗号化に使用する情報に対応した番号または符号を記録紙上または表示手段上で確認することができる。
【図面の簡単な説明】
【図１】一実施形態におけるファクシミリ装置の構成を示すブロック図。
【図２】キーバンクテーブルを説明するための説明図。
【図３】キーバンクテーブルにおける項目の内容を登録、変更または削除する場合の動作を示すフローチャート。
【図４】キーバンクテーブルにおける項目の内容を登録、変更または削除する場合の動作を示すフローチャート。
【符号の説明】
１…通信端末装置としてのファクシミリ装置、１１…制御手段を構成するＭＰＵ、１２…制御手段を構成するＲＯＭ、１３…記憶手段及び制御手段を構成するＲＡＭ、１５…記録手段としての記録部、１６ａ…入力手段としてのテンキー、１７…表示手段としての表示部。
【図１】
0003669140.tif 000002
【図２】
0003669140.tif 000003
【図３】
0003669140.tif 000004
【図４】
0003669140.tif 000005